(57)【要約】 【課題】小型であって、しかもフラッシュ光の配光の調整が簡単に行なえる発光部を備えた撮影装置を提供する。【解決手段】ズームスイッチがＷＩＤＥ側に操作されたら、２枚の反射側板１１２ａ，１１２ｂをプロテクタ両端側のフレネルレンズ１０２１ａ，１０２１ｂを覆い隠すように配置し、発光管１１０から側方に発光された光を２枚の反射側板１１２ａ，１１２ｂに反射させてプロテクタ中央側に導くようにしてＷＩＤＥの撮影画角にあう様に配光を調整する。ズームスイッチがＴＥＬＥ側に操作されたら２枚の反射側板を傾かせて発光管から側方に発光された光をフレネルレンズに導くようにしてＴＥＬＥの撮影画角にあう様に配光を調整する。【選択図】図５
2007293227.tif 000002
【特許請求の範囲】
【請求項１】
焦点距離可変な撮影レンズを備え該撮影レンズで被写体を捉えることにより撮影を行なう撮影装置において、
撮影に同期して被写体に向けてフラッシュ光を発光する発光部を備え、
前記発光部が、
棒状の発光管と、
前記発光管後方を周回方向に取り巻いて該発光管から後方に発したフラッシュ光を前方に反射させるリフレクタと、
前記リフレクタの両側それぞれに配設され前記発光管からのフラッシュ光を反射する２枚の反射側板と、
前記発光管両端に対応する位置に透過フラッシュ光を内向きに集光させるフレネルレンズが形成され、該発光管前面を覆うとともに該発光管からのフラッシュ光を被写体側に透過させるプロテクタと、
前記２枚の反射側板の傾きを、前記撮影レンズの焦点距離に応じて調整する傾き調整部とを備えたことを特徴とする撮影装置。
【請求項２】
前記発光部が、この撮影装置の該発光部を除く本体部に収納された収納位置と該本体部から突出したポップアップ位置との間で移動自在であって、
この撮影装置が、前記発光部をポップアップ方向に付勢する付勢部材と、該発光部を収納位置に係止する係止部材と、該係止部材による係止を外して該発光部をポップアップさせるポップアップボタンと、前記発光部に、前記撮影レンズの焦点距離に応じた動作を行なわさせるための動力を前記本端部側から前記傾き調整部に伝達する動力伝達部材とを備えたことを特徴とする請求項１記載の撮影装置。
【請求項３】
前記傾き調整部は、前記撮影レンズの焦点距離が長焦点側にあるほど、前記２枚の反射側板の傾きを、該２枚の反射側板が前記プロテクタに対しより平行となる方向に調整するものであることを特徴とする請求項１記載の撮影装置。
【請求項４】
前記プロテクタは、前記傾き調整部が前記２枚の反射側板の傾きを、前記プロテクタに対し該２枚の反射側板が前記プロテクタに対しより平行となる方向に調整しているときの、前記２枚の反射側板それぞれの先端が描く軌跡に沿ってフレネルレンズが形成されたものであることを特徴とする請求項３記載の撮影装置。
【請求項５】
前記反射側板よりも側方に進行した光を前記プロテクタに向けて反射する反射板を備えたことを特徴とする請求項３記載の撮影装置。
【請求項６】
前記動力伝達部材は、前記発光部が、前記収納位置と、前記ポップアップ位置と、これら収納位置とポップアップ位置との間の中間位置のいずれの位置にあっても、前記傾き調整部に動力を伝達するものであることを特徴とする請求項２記載の撮影装置。
【請求項７】
前記傾き調整部は、前記２枚の反射側板の傾きを１つの機構で同時に調整するものであることを特徴とする請求項１記載の撮影装置。
【請求項８】
前記傾き調整部は、前記２枚の反射側板の傾きを互いに独立に調整するものであることを特徴とする請求項１記載の撮影装置。
【発明の詳細な説明】
【技術分野】
【０００１】
本発明は、撮像素子を備え、その撮像素子上に被写体像を形成して画像信号を生成する撮影装置に関する。
【背景技術】
【０００２】
撮影装置には撮影に同期して被写体に向けてフラッシュ光を発光する発光部を備えたものが多い。このような撮影装置にあってはその発光部から照射されるフラッシュ光の配光を広角側にあわせるようにしておくと、ズームスイッチが望遠側に操作されたときには望遠に対応する撮影画角外に向けて多くの光が照射されてしまって無駄に電力が消費されてしまうため、ズームスイッチの操作に連動してフラッシュ光の配光を変更することができるようにしているものが多い（例えば特許文献１参照）。この特許文献１のものでは、発光管とリフレクタとのうちの少なくとも一方を光軸方向前後に移動させることによってズームスイッチの操作に応じた撮影画角にあう配光を得ようとしている。
【０００３】
しかしキセノン管などの発光管は棒状であるため、どうしても発光管の側方に向けて余分な光が照射されてしまってその分の電力が無駄に消費されてしまうという問題は残る。
【０００４】
そこで特許文献２のもののように発光管の側方に側方反射手段を設けてその無駄に照射されていた電力を撮影画角内に照射させるようにして電力効率を上げようとしているものもある。
【０００５】
またこのように配光を整えてなるべく電力効率を上げようとするものの中には、発光管あるいはリフレクタに加えてフレネルレンズを光軸方向に前後させることでフラッシュ光を好適な配光にしようとするもの（特許文献３参照）やリフレクタ板を変形させることによってフラッシュ光を好適な配光にしようとするもの（特許文献４参照）もある。
【０００６】
しかし特許文献１〜特許文献４のものいずれのものにおいても、発光管あるいはリフレクタを光軸方向に移動させる機構やフレネルレンズを前後に移動させる機構やリフレクタを変形させる機構等を設けなければならないため発光部の構造が複雑になって大型化してしまうという問題がある。
【特許文献１】特開昭５５−１２９３２６号公報
【特許文献２】特開平２−２９１５３８号公報
【特許文献３】特許第３２６２７７９号公報
【特許文献４】特開平６−１８０４６９号公報
【発明の開示】
【発明が解決しようとする課題】
【０００７】
本発明は、上記事情に鑑み、小型であって、しかもフラッシュ光の配光の調整が簡単に行なえる発光部を備えた撮影装置を提供することを目的とする。
【課題を解決するための手段】
【０００８】
上記目的を達成する本発明の撮影装置は、焦点距離可変な撮影レンズを備えその撮影レンズで被写体を捉えることにより撮影を行なう撮影装置において、
撮影に同期して被写体に向けてフラッシュ光を発光する発光部を備え、
上記発光部が、
棒状の発光管と、
上記発光管後方を周回方向に取り巻いてその発光管から後方に発したフラッシュ光を前方に反射させるリフレクタと、
上記リフレクタの両側それぞれに配設され上記発光管からのフラッシュ光を反射する２枚の反射側板と、
上記発光管両端に対応する位置に透過フラッシュ光を内向きに集光させるフレネルレンズが形成され、その発光管前面を覆うとともにその発光管からのフラッシュ光を被写体側に透過させるプロテクタと、
上記２枚の反射側板の傾きを、上記撮影レンズの焦点距離に応じて上記２枚の反射側板の傾きを調整する傾き調整部とを備えたことを特徴とする。
【０００９】
上記本発明の撮影装置によれば、上記プロテクタの、上記発光管両端に対応する位置に上記フレネルレンズが形成され、上記撮影レンズの焦点距離に応じて上記傾き調整部により上記２枚の反射側板の傾きが所定の傾き以上（あるいは以下）になるように調整されたときに初めて上記発光管からのフラッシュ光がそのフレネルレンズに導かれるようになる。
【００１０】
例えば上記撮影レンズの焦点距離が短焦点側にあって相対的に広い撮影画角に向けてフラッシュ光を発光させる必要があるときには、上記傾き調整部により上記２枚の反射側板の傾きを調整して上記発光管からのフラッシュ光が上記フレネルレンズに導かれないようにして撮影画角の周縁部に向けて拡がりを持つような配光にしてから上記広い撮影画角範囲に向けてフラッシュ光を発光させることができる。
【００１１】
また上記撮影レンズの焦点距離がズームスイッチの操作等により長焦点側に切り替えられ始めて上記相対的に広い撮影画角よりも狭い画角に向けてフラッシュ光を発光させる必要があるときには、上記傾き調整部により上記２枚の反射側板の傾きを調整することにより上記フレネルレンズにフラッシュ光の一部を入射させるようにしてそのフレネルレンズ側に入射した光を内向きに集光させ上記短焦点側にあったときよりも狭い範囲に電力が集中するような配光にしてからフラッシュ光を発光させることもできる。
【００１２】
このようにフラッシュ光の配光を調整するにあたって上記本発明においては、上記プロテクタの、上記発光管両端に対応する位置に透過フラッシュ光を内向きに集光させる上記フレネルレンズを形成し、さらにそのフレネルレンズを用いるか用いないかを上記反射側板の傾きを上記傾き調整部によって調整することにより決定するようにし、さらにフレネルレンズを用いる場合には上記２枚の反射側板の傾きそれぞれを調整するようにして上記フレネルレンズに入射するフラッシュ光の入射角度を変えていくことで簡単に配光が調整される。
【００１３】
すなわち、小型であって、しかもフラッシュ光の配光の調整が簡単に行なえる発光部を備えた撮影装置が実現される。
【００１４】
ここでこの撮影装置が、上記発光部をポップアップ方向に付勢する付勢部材と、その発光部を収納位置に係止する係止部材と、その係止部材による係止を外して該発光部をポップアップさせるポップアップボタンと、上記発光部に、上記撮影レンズの焦点距離に応じた動作を行なわさせるための動力を上記本端部側から上記照射野調整部に伝達する動力伝達部材とを備えた態様であることが好ましい。
【００１５】
もしも上記発光部が本体部に固定されたものであると、被写体に向けてフラッシュ光が照射されたときに被写体が人物であった場合には赤目が発生し易い。またレンズ鏡胴が繰り出し自在なものであった場合には繰り出されたレンズ鏡胴にフラッシュ光がけられてしまうことがある。これらのことを踏まえると、上記発光部が、この撮影装置のその発光部を除く本体部に収納された収納位置とその本体部から突出したポップアップ位置との間で移動自在であった方が良い。
【００１６】
上記発光部がポップアップするものであったときに上記好ましい態様であると、上記ポップアップボタンの操作により上記発光部がポップアップされたときにおいても、上記動力伝達部材によって上記発光部が備える上記傾き調整部に動力が伝達されフラッシュ光の配光が好適に調整される。
【００１７】
ここで、上記傾き調整部は、上記２枚の反射側板の傾きを、上記撮影レンズの焦点距離が長焦点側にあるほどその２枚の反射側板が上記プロテクタに対してより平行となる方向に調整するものであることが好ましい。
【００１８】
そうすると、長焦点側にあるほど上記２枚の反射側板が上記プロテクタに対してより平行となる方向に上記傾き調整部によって調整されることにより上記発光管から側方に向けて発光されたフラッシュ光が上記フレネルレンズへ導かれさらにそのフレネルレンズによりフラッシュ光が内向きに集光されることによって上記プロテクタ全体を透過した透過フラッシュ光の配光が整えられる。
【００１９】
このように配光が整えられ側方に向けて発光されたフラッシュ光の電力が有効に活用されるようになって電力効率が上がると、より遠い位置にいる被写体にまでフラッシュ光を到達させることができるようになる。
【００２０】
また、上記２枚の反射側板が、上記傾き調整部によって上記プロテクタに対しより平行となる方向に調整されるにつれて、その２枚の反射側板の先端部と上記プロテクタとの間の間隙が大きくなっていく。そうするとその間隙から光が漏れて上記発光管から発光された光が有効に活用されなくなってしまう恐れが出てくる。
【００２１】
そこで、上記プロテクタは、上記傾き調整部が上記２枚の反射側板の傾きを、上記プロテクタに対しその２枚の反射側板が上記プロテクタに対しより平行となる方向に調整しているときの、上記２枚の反射側板それぞれの先端が描く軌跡に沿ってフレネルレンズが形成されたものであると良い。
【００２２】
このようにフレネルレンズが形成されると、上記2枚の反射側板がどの位置に在っても上記発光管から発光された光が上記フレネルレンズにより集光され被写体に向けて照射される様になって発光効率の向上が図られる。またプロテクタの端部側つまりフレネルレンズを形成する部分の厚みを厚くすることができるのでフレネルレンズを金型により成型するに際にフレネルレンズの切り込み部の成型が行ない易くなるという効果も得られる。
【００２３】
また、上記反射側板よりも側方に進行した光を上記プロテクタに向けて反射する反射板を備えていても良い。
【００２４】
そうすると、上記間隙を通って側方に進行した光がその反射板により反射されプロテクタ側に導かれる様になるので上記発光管から発光された光がほぼすべて被写体に向けて照射され発光効率が向上する。
【００２５】
また上記動力伝達部材は、上記発光部が上記収納位置と上記ポップアップ位置と、これら収納位置とポップアップ位置との間の中間位置のいずれの位置にあっても、上記傾き調整部に動力を伝達するものであることが好ましい。
【００２６】
上記発光部が上記収納位置と上記ポップアップ位置とにあるときだけでなく、中間位置においても動力が上記傾き調整部にまで伝達されると、撮影者が例えば上記発光部を上から押さえてその中間位置に配置して撮影を行なうようなことがあったとしてもフラッシュ光の配光が的確に調整される。
【００２７】
また上記傾き調整部は、上記２枚の反射側板の傾きを１つの機構で同時に調整するものであることが好ましい。
【００２８】
上記本発明の撮影装置のように焦点距離可変な撮影光学系を備える撮影装置にあっては繰出し自在なレンズ鏡胴を備えている場合が多い。例えば、その繰出し自在なレンズ鏡胴の動きに連動して上記２枚の反射側板の傾きを調整するような構成にすると、簡単な構造でしかもその２枚の反射側板の傾きをズームスイッチの操作位置に応じた位置に調整する機構が実現される。
【００２９】
また、上記傾き調整部は、上記２枚の反射側板の傾きを互いに独立に調整するものであっても良い。
【００３０】
例えば影画角内の右側半分に逆光があるような撮影環境においては、上記２枚の反射側板の傾きを同時に調整することができるようにしてしまうと、常に撮影画角の中央を中心にして左右対称の形のフラッシュ光が発光されてしまうため、逆光である右側半分が左側よりも明るくなってしまって輝度むらが発生する。
【００３１】
このような事態に対処することができるように上記２枚の反射側板の傾きを互いに独立に調整することができるようにしておくと、左右非対称の形のフラッシュ光、つまり左側に主に発光電力が集中するように配光してフラッシュ光を発光させるようなことが行なえる。
【発明の効果】
【００３２】
以上、説明したように、フラッシュ光の配光の調整が簡単に行なえる発光部を備えた撮影装置が実現する。
【発明を実施するための最良の形態】
【００３３】
以下、本発明の実施の形態について説明する。
【００３４】
図１は、本発明の撮影装置の一実施形態であるデジタルカメラの外観を示す図である。
【００３５】
図１（ａ）にはデジタルカメラの正面側を前方斜め上方から見た斜視図が示されており、図１（ｂ）にはデジタルカメラの背面側を後方斜め上方から見た斜視図が示されている。
【００３６】
図１（ａ），図１（ｂ）に示すデジタルカメラ１は、焦点距離可変な撮影レンズを備えその撮影レンズで被写体を捉えることにより撮影を行なうものである。
【００３７】
図１（ａ）に示すようにカメラボディ１ａの正面中央には沈胴・繰出自在なレンズ鏡胴１００が備えられており、そのレンズ鏡胴１００内に焦点距離可変な撮影レンズが内蔵されている。なお図１（ａ）には電源スイッチが投入されて撮影準備が整えられレンズ鏡胴が繰出された後の状態が示されている。
【００３８】
またそのレンズ鏡胴１００の上方にはファインダ１０１が設けられており、そのファインダ１０１の横にフラッシュ光発光窓１０２が備えられている。その発光窓１０２には長手方向両端側それぞれにフレネルレンズが形成されているプロテクタ１０２１が嵌め込まれている。このフラッシュ光発光窓１０２からは、レリーズ釦１０３の操作による撮影に同期して内部の発光部から被写体に向けてフラッシュ光が発光されるようになっている。
【００３９】
また図１（ｂ）に示すカメラボディ１ａの背面側には表示パネル１０４が設けられており、その表示パネル１０４上には撮影レンズで捉えている被写体が常に表示されるようになっている。その表示パネル１０４の横にはズームスイッチ１０５やメニュースイッチ１０６等が設けられている。このズームスイッチ１０５の操作に応じて望遠（ＴＥＬＥ）から広角（ＷＩＤＥ）までのズーミングが行なわれるようになっている。
【００４０】
本実施形態のデジタルカメラ１の内部には、上記発光窓１０２からズームスイッチ１０５の操作に応じた撮影画角に対応する範囲に向けてフラッシュ光の照射が行なえるように配光を任意の形状に整えることができる発光部が配備されている。
【００４１】
図２は、その発光部が収納されている収納ケース１０の外観を示す図である。
【００４２】
図２に示す収納ケース１０は、図１にも示したプロテクタ１０２１と基台部１０２２と蓋部１０２３とからなり、基台部１０２２に蓋部１０２３が取り付けられることにより形成される窓１０２にプロテクタ１０２１が嵌めこまれると図２に示す外観の収納ケース１０になる。
【００４３】
その収納ケース１０の下面には中央を境にして左右対称にハの字状に２つの貫通穴１０２２ｂ，１０２２ｃがそれぞれ設けられている。それらの貫通穴１０２２ｂ，１０２２ｃは、後述する２枚の反射側板の傾きそれぞれを調整することができるようにプロテクタ１０２１側を正面として収納ケース１０の後方側壁側に向かって斜め方向に切り欠かれている。それらの貫通穴１０２２ｂ，１０２２ｃそれぞれに２枚の反射側板（後述する）の一端部側から下方に向けて延設されている係合部材１１２１ａ，１１２１ｂそれぞれが係合されている。それらの係合部材１１２１ａ，１１２１ｂそれぞれは、リンク部材１３ａ，１３ｂにより連結されている。ここでは、２本のリンク部材１３ａ，１３ｂそれぞれの一端がレンズ鏡胴の前後に連動して進退する可動リンク部材１１３に連結されている例が示されている。本実施形態においては可動リンク部材１１３が前方（プロテクタ側）に動くと２本のリンク部材１３ａ，１３ｂそれぞれが開脚するように開方向に回動され、可動リンク部材１１３が後方（プロテクタから遠ざかる方向）に動くと２本のリンク部材１３ａ，１３ｂそれぞれが閉脚するように閉じ方向に回動される構造になっている。したがってリンク部材１１３が進退すると各貫通穴１０２２ｂ，１０２２ｃの形状に案内されるようにして、また２本のリンク部材１３ａ，１３ｂそれぞれの連結により双方の動きが同調するようにして上記リンク部材１３ａ，１３ｂそれぞれが回動されることとなる。
【００４４】
このような構成にしておくと、レンズ鏡胴１００の動きに応じて２枚の反射側板それぞれの傾きが精度良く調整される。
【００４５】
ここで、図２に示す収納ケース１０を分解し収納ケース１０内部の構成部材を取り出して発光部の構成を詳細に説明する。
【００４６】
図３は、図２に示す収納ケース１０内の発光部の構成を説明するための分解図である。
【００４７】
図３の中央には発光管１１０とリフレクタ１１１が収容されるフォルダ１１が示されている。このフォルダ１１はプロテクタ１０２１と対向する側に開口が設けられており、その開口からプロテクタ１０２１に向かってフラッシュ光が発光されるようになっている。その開口を前方としてフォルダ１１の奥の方に棒状の発光管１１０と、その発光管１１０後方を周回方向に取り巻いてその発光管１１０から後方に発したフラッシュ光を前方に反射させるリフレクタ１１１とが収容されている。さらに、そのリフレクタ１１１の両側それぞれに配設され発光管１１０からのフラッシュ光を反射する２枚の反射側板１１２ａ，１１２ｂそれぞれがフォルダ１１の開口から前方に突出するようにして配設されている。これらの２枚の反射側板１１２ａ，１１２ｂそれぞれの奥側端部がフォルダ１１内の支軸に回動自在に支持されているので開口から突出する様にして配設されている側の端部それぞれが各々の支軸を中心に回動自在になる。２枚の反射側板それぞれの回動自在になっている端部それぞれに図２に示した係合部材１１２１ａ，１１２１ｂが係着されその係着された係合部材１１２１ａ，１１２１ｂの先端部それぞれが上記ハの字状の貫通穴１０２２ｂ（図２参照），１０２２ｃそれぞれに係合される。
【００４８】
したがってもしも図２に示した収納ケース下面に後方に延びて配設されている可動リンク部材１１３がレンズ鏡胴に連結されたとすると、レンズ鏡胴１００の前後の動きに応じてその可動リンク部材１１３が進退しさらに双方のリンク部材１３ａ，１３ｂによるバランスの良い連携（双方とも同じ角度で開いたり閉じたりする）により２枚の反射側板１１２ａ，１１２ｂの傾きが精度良く調整されるようになる。
【００４９】
すなわち、本実施形態においては、上記レンズ鏡胴１００とそのレンズ鏡胴に連結される可動リンク部材１１３とその可動リンク部材１１３に一端がそれぞれ係合されている一対のリンク部材１３ａ，１３ｂと、それらのリンク部材１３ａ，１３ｂの他端部それぞれに連結されている各係合部材１１２１ａ，１１２１ｂとそれらの係合部材１１２１ａ，１１２１ｂが係合する貫通穴１０２２ｂ，１０２２ｃとそれらの係合部材それぞれがフォルダの奥側の取付部に回動自在に取り付けられている各反射側板１１２ａ，１１２ｂとが本発明にいう傾き調整部に該当することになる。
【００５０】
ここで作用を説明する。
【００５１】
図４は、フォルダ１１内に収容されている発光管１１０とその発光管１１０を取り巻くようにして設けられているリフレタク１１１と、発光管１１０およびリフレクタ１１１の前面を覆うようにして配設されているプロテクタ１０２１と各反射側板１１２ａ，１１２ｂの位置関係を説明する図である。図５は、図４に示したフォルダ１１を、フォルダ１１の下面側に配設されることになるリンク部材１３ａ，１３ｂ、それらのリンク部材それぞれの一端が連結される可動リンク部材１１３越し（つまり下方から）に見た図である。
【００５２】
図４（ａ）、図５（ａ）にはズームスイッチがＷＩＤＥ側つまり短焦点側いっぱいに操作されたときの発光管１１０およびリフレクタ１１１とプロテクタ１０２１と各反射側板１１２ａ，１１２ｂの位置関係が示されており、図４（ｂ）、図５（ｂ）には、図４（ａ），図５（ａ）に示す状態に対して、ズームスイッチがＴＥＬＥ側つまり長焦点側に操作されていったときに各反射側板１１２ａ，１１２ｂの位置がどのように変化していくかが示されている。
【００５３】
図４（ａ）、図５（ａ）に示すようにＷＩＤＥ側にある場合には、プロテクタ１０２１の両端側に形成されているフレネルレンズ１０２１ａ，１０２１ｂに発光管１１０およびリフレクタ１１１からのフラッシュ光を入射させないようにするため、２枚の反射側板１１２ａ，１１２ｂそれぞれがプロテクタ１０２１の両端部にあるフレネルレンズ１０２１ａ，１０２１ｂを覆い隠す位置に配置される。この状態にあるときにズームスイッチ１０５（図１（ｂ）参照）がＴＥＬＥ側に操作されレンズ鏡胴１００（図１（ａ）参照）が繰り出され始めると、図５（ｂ）中の符号１１３付近に示す矢印の方向に可動リンク部材１１３が動き始め、さらにリンク部材１３ａ，１３ｂのリンクによって図４（ｂ）、図５（ｂ）中の符号１１２ａ，１１２ｂ付近に示す矢印の方向に２枚の反射側板１１２ａ，１１２ｂが動き始める。こうしてレンズ鏡胴１００の繰出し具合に応じて上記可動リンク部材１１３が動くことによって２枚の反射側板１１２ａ，１１２ｂそれぞれの傾きが矢印の方向に調整され始めると、発光管１１０の側方に向けて発光されたフラッシュ光が少しづつプロテクタ１０２１の両端側それぞれに形成されているフレネルレンズ１０２１ａ，１０２１ｂに導かれるようになる。
【００５４】
このようにしておくと、上記２枚の反射側板１１２ａ，１１２ｂの傾きを上記プロテクタ１０２１と垂直になる方向に調整して上記フレネルレンズ１０２１ａ，１０２１ｂにフラッシュ光が入射しないようにすることによって短焦点（広角）にあうようにフラッシュ光の配光を調整することも、上記２枚の反射側板の傾きを上記プロテクタと平行になる方向に調整していくことによってフレネルレンズ１０２１ａ，１０２１ｂにフラッシュ光が入射するようにしていき、さらにフレネルレンズ１０２１ａ，１０２１ｂそれぞれに入射するフラッシュ光の入射角度を２枚の反射側板それぞれの傾きを調整することにより変えていくことによって長焦点（望遠）側にあうようにフラッシュ光の配光を調整していくこともできるようになる。
【００５５】
すなわち、小型であって、しかもフラッシュ光の配光の調整が簡単に行なえる発光部を備えた撮影装置が実現される。
【００５６】
図６は、第１の実施形態の変形例を説明する図である。
【００５７】
図６には図５と同様、図２に示す収納ケースを取り去って下方にあるリンク部材越しに収納ケース側を見た図が示されている。
【００５８】
図１〜図５で説明したように上記傾き調整部が上記２枚の反射側板の傾きを１つの機構（２本のリンク部材１３ａ，１３ｂにより２枚の反射側板１１２ａ，１１２ｂ各々を連結してそれらのリンク部材１３ａ，１３ｂの一端側を、レンズ鏡胴１００の前後に応じて進退する可動リンク部材１１３に連結する機構）で同時に調整するような構成しても良いが、上記２枚の反射側板１１２ａ，１１２ｂの傾きを互いに独立に調整する構成にすることもできる。
【００５９】
図６の例においては、図５において反射側板１１２ａ，１１２ｂの各係合部材１１２１ａ，１１２１ｂを連結していたリンク部材１３ａ，１３ｂそれぞれを一本の可動リンク部材に連結する代わりに、２本の可動リンク部材１３１ａ，１３１ｂそれぞれに連結する構成に変形している。このときには、例えば、ズームスイッチの操作位置に連動することは勿論のこと、撮影装置内部に配備されている輝度検出部からの輝度信号に基づいて２本の可動リンク部材１３１ａ，１３１ｂそれぞれを個別に駆動して進出させたり、後退させたりする構成にすれば良い。
【００６０】
そうすると、例えば撮影画角内の右側半分に逆光があるような撮影環境においては、２枚の反射側板１１２ａ，１１２ｂの一方の反射側板１１２ａを、可動リンク部材１３１ａ、１３１ｂを進出させることによりプロテクタに垂直なるようにし他方の反射側板１１２ｂを、可動リンク部材を後退させることによりプロテクタに対し平行となる方向に傾かせるようにする等によって左右非対称の形のフラッシュ光、つまり左側に主に発光電力を集中させるように配光してフラッシュ光を発光させるようなことも行なえる。
【００６１】
以上説明したように、小型であって、しかもフラッシュ光の配光の調整が自在に行なえる発光部を備えた撮影装置が実現する。
【００６２】
ところで、２枚の反射側板１１２ａ，１１２ｂをプロテクタ１０２１に対し平行となる方向に調整していくと、調整すればするほど、図４〜図６に示す様に反射側板１１２ａ，１１２ｂの先端部とプロテクタ１０２１との間の間隙が大きくなっていく。このためプロテクタ１０２１に対し平行となる方向に２枚の反射側板１１２ａ，１１２ｂが調整されればされるほど側方に進行した光がその間隙から漏れて発光管から発光された光の量にロスが生じてフラッシュ光の発光効率が低下してしまう。こうしてフラッシュ光の発光光率が低下してしまうと、撮影補助光の到達距離が短くなってしまう。そこで間隙からの光の漏れを阻止するとともに阻止した光を積極的に活用する構成にすることが望まれる。
【００６３】
図７は、その構成の一例を示す図である。
【００６４】
図７（ａ）には、間隙Ｐから光が漏れることを阻止するとともに阻止した光を積極的に活用する構成に改良する前の、２枚の反射側板１１２ａ，１１２ｂをプロテクタ１０２１に対し平行となる方向に調整し切った状態を上方から見た図が示されている。また図７（ｂ）には、間隙Ｐから光が漏れることを阻止するとともに阻止した光を積極的に活用する構成に改良した後の、２枚の反射側板１１２ａ，１１２ｂをプロテクタ１０２１に対し平行となる方向に調整し切った状態を上方から見た図が示されている。
【００６５】
図７（ａ）に示す様に、２枚の反射側板１１２ａ，１１２ｂをプロテクタ１０２１に対し平行となる方向に調整していくとどうしても間隙Ｐが大きくなっていって図７（ａ）に示す位置で最大になる。そこで、図７（ｂ）に示す様に、本発明にいう傾き調整部が２枚の反射側板１１２ａ，１１２ｂの傾きを、プロテクタ１０２１に対しその２枚の反射側板１１２ａ，１１２ｂがプロテクタ１０２１に対しより平行となる方向に調整しているときの、２枚の反射側板それぞれの先端が描く軌跡に沿ってフレネルレンズ１０２１ａ´、１０２１ｂ´を形成することによって間隙Ｐを埋めて光が漏れることを阻止するとともに阻止した光を積極的に活用する構成へと改良している。
【００６６】
図７（ｂ）に示す構成にすると、2枚の反射側板１１２ａ，１１２ｂがどの位置に在っても発光管１１０から発光された光がほぼすべてプロテクタ１０２１に導かれる様になって発光効率が向上してより遠くまで撮影補助光を到達させることができる。また、図７（ｂ）に示す様にプロテクタ１０２１の端部側つまりフレネルレンズを形成する部分の厚みを厚くすることができると、フレネルレンズ１０２１ａ´、１０２１ｂ´を金型により成型する際にフレネルレンズ１０２１ａ´、１０２１ｂ´の切り込み部の成型が行ない易くなるという効果も得られる。
【００６７】
図８は、側方に進行した光が漏れることを阻止するとともにその阻止した光を積極的に活用する構成の別例を説明する図である。
【００６８】
図８（ａ）は、図７（ａ）と同じ図が示されており、図８（ｂ）には、図７（ｂ）に示す様にフレネルレンズの形状に工夫を凝らす代わりに、側方に進行した光をプロテクタ１０２１に向けて反射する反射板１４ａ、１４ｂを設けた場合の例が示されている。
【００６９】
このような構成にしても2枚の反射側板１１２ａ，１１２ｂがどの位置に在っても発光管から発光された光がプロテクタ１０２１に導かれ被写体に照射される様になるので発光効率が向上する。
【００７０】
図９、図１０は、図８に示す反射板１４ａ，１４ｂの長さを長くしてブラインドとしても作用させた場合の変形例を説明する図である。
【００７１】
図９に示す様に発光管１１０の端部に至るところまで反射板１５ａ，１５ｂの長さを延ばすと、図１０（ａ）に示す様にフレネルレンズの部分を通して正面から見えていた発光管１１０の端部Ｖが図１０（ｂ）に示す様に反射板１５ａ，１５ｂがブラインドとなって見えなくなって外観が整えられるという効果が得られる。
【００７２】
ここで、第１実施形態で説明した様に発光部が本体部に固定されたものであると、被写体に向けてフラッシュ光が照射されたときに被写体が人物であった場合には赤目が発生するであるとか、レンズ鏡胴が繰り出し自在であると繰り出されたレンズ鏡胴１００にフラッシュ光がけられるであるとかの問題が発生し易い。
【００７３】
これらを踏まえると、発光部はポップアップするものであった方が良い。
【００７４】
図１１は、第２の実施形態であるデジタルカメラ２の外観を示す図である。
【００７５】
図１１に示す第２の実施形態においては、発光部が収納された収納ケース２０が、本体部（つまりカメラボディ）に収納された収納位置とその本体部から突出したポップアップ位置との間で移動自在である場合の例を掲げている。図１１（ａ）には、デジタルカメラ２を斜め上方から見た斜視図が示されており、図１１（ｂ）にはデジタルカメラ２を斜め後方から見た斜視図が示されている。なお説明を簡略にするために以降の説明においては収納ケース２０内の発光部を、発光部２０と記載することがある。
【００７６】
この第２の実施形態のデジタルカメラ２では、発光部２０がポップアップボタン２１（図１１（ｂ）参照）の操作によりポップアップされたときにおいてもレンズ鏡胴２００の動きが、発光部２０が備える傾き調整部（詳細は後述するが、第２実施形態においては第１実施形態で説明した構成部材の中の可動リンク部材１１３を除いた残りの部材と後述する何点かのリンク部材とで傾き調整部が構成されている）にまで伝達される様に改良されている。
【００７７】
図１１に示す第２実施形態のデジタルカメラ２の外観の構成は、発光部２０が、このデジタルカメラ２のその発光部２０を除く本体部に収納された収納位置とその本体部から突出したポップアップ位置との間で移動自在であることとその発光部２０をポップアップさせるためのポップアップ用の部材と操作によりポップアップを指示するポップアップボタン２１が付加されていること以外は、形状や配置の違いがあるものの第１の実施形態の撮影装置とほぼ同じ構成である。
【００７８】
そこで、ここではポップアップする発光部２０周辺の構成とその発光部２０とボディ背面側にあるポップアップボタン２１との係わりを中心に説明する。なお図３と同様の機能を発揮する部材には図３と同じ符号を付してある。
【００７９】
まずポップアップする発光部２０周辺の構成およびポップアップボタン２１周辺の構成を説明する。
【００８０】
図１２（ａ）〜図１２（ｄ）は、ポップアップする発光部２０周辺の構成を示す図である。
【００８１】
図１２（ａ）にはポップアップされた発光部２０とその発光部２０を支持するベース部材２７を正面斜め上方から見た図が示されている。また図１２（ｂ）にはポップアップされた発光部２０とその発光部２０を支持するベース部材２７を後方斜め上方から見た図が示されている。また図１２（ｃ）には、発光部２０を収納位置に係止した状態にあるときの係止部材２４の状態が示されている。さらに図１２（ｄ）には、その係止部材２４とその係止部材２４による係止を外して上記発光部２０をポップアップさせるポップアップボタン２１との係わりが示されている。
【００８２】
図１２（ａ）〜図１２（ｃ）に示す様に発光部２０はポップアップ自在にベース部材２７に支持されている。図１２（ｃ）に示す様にポップアップされていない状態においてはベース部材２７側に設けられた係止部材２４の先端の爪部２４２が、発光部が収納されている収納ケース２０側の係止受部２０１に係止される。図１２（ｄ）に示す様にこの係止部材２４は、回動軸２４１を中心に回動自在に軸支されており、係止部材２４の爪部２４２が、発光部が収納されている収納ケース２０の係止受部２０１に係止されている状態においては、その状態が維持される様に不図示の捻りばね（後述する）により図１２（ｄ）の反時計方向に付勢されている。この状態にあるときにポップアップボタン２１が押されると、ポップアップボタン２１の押下により連結部材２１０を介して係止部材２４が不図示の捻りばねの付勢力に逆らって時計方向に回動されその係止部材２４の爪部２４２と収納ケース２０の係止受部２０１との間の係止が外されて、発光部２０がポップアップ位置までポップアップされる。
【００８３】
次にレンズ鏡胴２００の動きを発光部２０に伝達する動力伝達部材を説明する。
【００８４】
図１３は、レンズ鏡胴内部に在るカム筒２００Ａと発光部２０との係わりを説明する図であり、図１４、図１５は、発光部２０と、その発光部２０を本体に組み込むために必要なポップアップ用の部材と動力伝達部材を説明するための分解図である。
【００８５】
図１３にはレンズ鏡胴２００内部のカム筒２００Ａが示されている。そのカム筒２００Ａの外周面上には、カム溝２００１が設けられており、そのカム溝２００１に発光部２０を支持するベース部材２７の下面側に配設されている連結部材２９が係合している。
【００８６】
図１１に示すレンズ鏡胴２００が前後に動くときには図１３に示すカム筒２００Ａが回転しその回転により連結部材２９が前後するのでこの連結部材２９を、第１の実施形態で説明した発光部１０側のフォルダ１１の下面側の可動リンク部材１１３（図３参照）と連結させれば良いことになる。
【００８７】
しかし、この第２の実施形態では、発光部２０をポップアップさせる様にしたため、図３に示す可動リンク部材１１３と上記連結部材２９とを直接連結するという訳にはいかない。
【００８８】
そこで、本実施形態では連結部材２９がカム筒２００Ａの回転により前後したときにその前後の動きを発光部２０にまで効率的に伝えることができる様に、発光部２０とレンズ鏡胴２００との間に動力伝達部材を何点か追加している。図１４、図１５にはそれらの動力伝達部材により伝えられた動力により２枚の反射側板１１２ａ，１１２ｂ（図３参照）の傾きが調整される場合の例が示されている。
【００８９】
図１４、図１５を参照してそれらの動力伝達部材を説明する。
【００９０】
図１４、図１５には、発光部２０および発光部２０からレンズ鏡胴２００にかけての構成が分解図の形で示されている。
【００９１】
図１４に示す発光部２０の構成は、形状や配置等に若干の違いがあるものの第１の実施形態とほぼ同様の構成であるので、本発明にいう動力伝達部材に該当するリンク部材２３とリンク部材２２０とリンクピン２２を中心に説明する。また図１４には、図３に示したフォルダ１１や基台１０２２等が分解された状態が示されているので、それらが組立てられたときに図３に示すフォルダ１１や基台１０２２になることを図３に示した符号と同じ符号で示しておく。さらに図１４には、図３には示していないが発光管１１０を発光させるための発光回路（トリガコイル等を含む）が実装されている基板２００Ａやその基板２００Ａが収容されるケース２００Ｂなども図示されている。
【００９２】
まず図１４を参照して発光部２０側の構成の変更を説明する。
【００９３】
第１実施形態では、図３に示す様にフォルダ１１の下面の可動リンク部材１１３がレンズ鏡胴１００に係合される旨の記述をしたが、本実施形態では発光部２０をポップアップさせるための何点かの部材を収納ケース２０の中央下面に配設する必要があるため、リンクピン２２とリンク部材２２０とカム溝２３Ａを有するリンク部材２３を追加してそれらのうちのリンク部材２３でレンズ鏡胴２００からの動力を受け取って受け取った動力をリンク部材２２０およびリンクピン２２に伝え、さらにリンク部材１３ａ，１３ｂで２枚の反射側板１１２ａ，１１２ｂに動力を伝えることによって２枚の反射側板１１２ａ，１１２ｂそれぞれの傾きを調整する構成に変更している。このためこの例ではリンク部材２２０をレンズ鏡胴から受け取った動力により前後させることができる様にそのリンク部材２２０を嵌め込むための貫通孔１０２２ａが基台のハの字状の貫通孔の間に追加されている。
【００９４】
ここで上記リンク部材２３、さらに上記リンク部材２２０および上記リンクピン２２の係わりを説明する。
【００９５】
まず、図１４の最下方に示すリンク部材２３の発光管側の片面にカム溝２３Ａを設けて、そのカム溝２３Ａに、上記した貫通孔１０２２ａに前後することができる様に嵌め込まれるリンク部材２２０のリンクピン２２０１を係合させる。またそのリンク部材２２０の後端側に設けられた孔２２０２にくの字型のリンク部材１３ａ，１３ｂの連結部に設けたリンクピン２２を下方から嵌め込み、さらに２つの反射側板１１２ａ、１１２ｂそれぞれから下方に延びている係合部材１１２１ａ、１１２１ｂをくの字型のリンク部材１３ａ、１３ｂの先端部に設けられている孔部を貫通させ、さらに第１の実施形態と同様に貫通孔１０２２ａ，１０２２ｂにそれぞれ係合させる。
【００９６】
そうすると上記リンク部材２３がレンズ鏡胴側からの動力を受け取って横方向（図中矢印で示した方向）に動くことによりリンク部材２２０が貫通孔１０２２ａに沿って前後するとともにくの字型のリンク部材１３ａ，１３ｂの連結部に在るリンクピン２２が前後することになる。このリンクピン２２の前後（図中符号２２付近に示した矢印の方向に動く）の動きによりリンク部材１３ａ，１３ｂが、各反射側板１１２ａ，１１２ｂの係合部材１１２１ａ，１１２１ｂがハの字上の孔１０２２ｂ，１０２２ｃに沿って動くのに同期して動いて双方の反射側板１１２ａ、１１２ｂの傾きが調整される。
【００９７】
つまり、反射側板１１２ａ，１１２ｂの傾きが、上記リンク部材２２０とリンクピン２２とリンク部材２３との３つの動力伝達部材により伝達されてきたレンズ鏡胴からの動力によって調整される。
【００９８】
次にリンク部材２３にレンズ鏡胴側からの動力がどのようにして伝達されるかを説明する。
【００９９】
図１４に示す様に上記リンク部材２３には、レンズ鏡胴２００側からの動力を受け取るための突出片２３１が、上記カム溝２３Ａが設けられている片面とは反対の片面に設けられており、その突出片２３１には本体部側のリンクフォーク２５（後述する）が連結される連結用の孔２３１１が設けられている。
【０１００】
ここで図１５を参照してそのリンク部材２３をレンズ鏡胴２００の動きに応じてどのようにして横方向（図１４中符号２３１１付近に示した矢印の方向）に動かすかを説明する。
【０１０１】
図１５には、レンズ鏡胴２００と発光部２０との間に設けられる、上記リンク部材２３以外の動力伝達用の部材が何点か示されている。なお、図１５には発光部２０をポップアップさせるための構成も図示されている。
【０１０２】
図１５の上方には図１４の分解図で示した部材が組み立てられた後の発光部２０が示されている。その図１４の発光部２０の下側には図１４で説明したリンク部材２３の突出片２３１が顔を覗かせている。その突出片２３１に、本体部側の動力伝達用の部材が連結されるとリンク部材２３が横方向（図中符号２３１付近に矢印で示してある方向）に動く様になる。つまり、このリンク部材２３がレンズ鏡胴２００の動きに応じて動くと上記した様に反射側板１１２ａ，１１２ｂの傾きがレンズ鏡胴の動きに応じて調整される。
【０１０３】
ここでまず、図１４で説明した発光部２０内のリンク部材２３にどのようにしてレンズ鏡胴２００側からの動力が伝達されるかを説明する。
【０１０４】
図１５の最も上の方に示されている発光部２０の下方には、リンク部材２３の突出片２３１に連結されるリンクフォーク２５が示されている。このリンクフォーク２５の、発光部２０側には２分岐のフォーク２５１が形成されており、しかもそのフォーク２５１先端にはリンクシャフト２５ＳＨを受け入れるためのシャフト受孔２５１ｈが設けられている。このリンクシャフト２５ＳＨのフォーク２５１が上記突出片２３１を挟み込む様にして配設された後、リンクシャフト２５ＳＨのシャフト受孔２５１とリンク部材２３の突出片２３１が有する連結用の孔２３１１とを貫通する様にリンクシャフト２５ＳＨが挿通されると、本体側の動力伝達部材であるリンクシャフト２５にリンク部材２３が連結される。
【０１０５】
こうしてリンク部材２３（図１４参照）が本体側の動力伝達部材の一部であるリンクシャフト２５に連結されれば、後はその他の動力伝達部材によりレンズ鏡胴２００側から伝達されてきた動力がそのリンクシャフト２５に伝達されさえすればリンクシャフト２５とともに発光部２０内のリンク部材２３が動くことになる。
【０１０６】
ここからは、レンズ鏡胴２００が前後したときにそのレンズ鏡胴２００の動きがそのリンクフォーク２５にどのように伝えられるかを図１５の下方から上方に向かって順に説明していく。
【０１０７】
図１３で説明した様にレンズ鏡胴２００側のカム筒２００Ａと連結部材２９とが係合しており、レンズ鏡胴２００の伸縮に応じてカム筒２００Ａが回転すると図１５に示す様にその連結部材２９が前後（図１５に示す矢印の方向）に動く。その連結部材２９には、シャフト２９ｓｈが挿通される孔が設けられており、その孔にシャフト２９ｓｈが挿通されることによって連結部材２９がそのシャフト２９ｓｈ上を自在に移動することができる様にベース部材２７の下面に取り付けられる。
【０１０８】
さらに、この例ではその連結部材２９の前後の動きを左右の動きに変換して上記リンク部材２３にまで伝達することができる様に連結部材２９の上方に反転板２８が配設されている。この反転板２８は、連結部材２９に重なる様に配設されてベース部材２７に移動自在に連結されている。
【０１０９】
この反転板２８の連結部材２９側の片面には、斜め方向にカム溝２８２が設けられており、そのカム溝２８２に上記連結部材２９のカムピン２９１が係合している。このため連結部材２９が前後するとカムピン２９１がカム溝２８１の斜めの軌跡に沿って動いてそのカムピン２９１の動きによって上記反転板２８が左右の方向（矢印で示してある）に動く様になる。
【０１１０】
その左右の方向に動く反転板２８には、上記リンクフォーク２５のフォーク２５２部の間隙に挿入される突片２８１が設けられており、その突片２８１にはポップアップリンクシャフト２６ＳＨを受け入れるシャフト受用の切欠き２８１１が設けられている。
【０１１１】
このポップアップリンクシャフト２６ＳＨは、ポップアップリンク２６ＳＨをベース部材２７に組み込むためのものであってそのポップアップリンク２６がベース部材２７に組み込まれるときには、上記ポップアップシャフト２６ＳＨがまずベース部材２７の側壁にある孔２７１ｈに挿通され、次に発光部２０をポップアップ方向に付勢する捩りばね２６ＳＰに挿通され、さらに上記リンクシャフト２５のフォーク２５２に設けられているシャフト受用孔２５２ｈに挿通されという風にベース部材２７に組み込まれていく。このポップアップリンクシャフト２６ＳＨの挿通によりリンクフォーク２５がポップアップリンク２６のスライド溝２６３にスライド自在に配設されたら、反転板２８の左右の動きに応じてリンクフォーク２５がスライド溝２６３に沿ってスライドすることによりリンク部材２３（図１４参照）に動力が伝達される様になる。こうしてレンズ鏡胴の動力が発光部内のリンク部材２３にまで伝達される。
【０１１２】
ここで図１５には発光部をポップアップさせるために必要な部材も何点か図示されているので、それらの部材についても構成を説明しておく。
【０１１３】
発光部２０をポップアップさせたときに発光部を支持するポップアップリンク２６には両端部に発光部側に張り出す様にして腕部２６１，２６２が２本設けられており、それらの腕部２６１、２６２の先端には孔２６１ｈ、２６２ｈがそれぞれ設けられている。それらの孔２６１ｈ，２６２ｈが収納ケース２０の脇に設けられている各突部（図１５には一方の突部２０ａしか示されていないが、反対側にもう一つ突部がある）に嵌め込まれることによってポップアップ自在な発光部２０が構成される。
【０１１４】
また、発光部が収納される収納ケース２０には、ポップアップリンク２６の腕部２６１，２６２が嵌め込まれる突部２０ａの他に別の突部（図１５には一方の突部２０ｂしか示されていないが、反対側にもう一つ突部がある）も設けられていて、それらの突部２０ｂがベース部材２７に設けられているガイド孔２７２ａ，２７２ｂに嵌め込まれる様になっている。これらのガイド孔２７２ａ，２７２ｂそれぞれは弧状であってそれぞれの弧状の始端と終端とがそれぞれ、発光部２０のポップアップ位置と収納位置に対応する様になっている。
【０１１５】
収納ケース２０の突部がそれらのガイド溝２７２ａ，２７２ｂの終端位置にばね付勢により付勢され回動されて位置することによって発光部２０が前述の図１２（ａ）、図１２（ｂ）に示す様にポップアップ位置にポップアップされ、収納ケース２０の突部がそれらのガイド溝２７２ａ，２７２ｂの始端位置に位置する様に図１２（ｃ）に示す様に上記係止部材２４により収納ケース２０が本体部に係止されることによって発光部２０が本体部の収納位置に収納される。
【０１１６】
こうしておくと、発光部２０がポップアップ位置にあっても収納位置にあってもいずれの位置にあっても、連結部材２９が前後するのにしたがって反転板２８が左右方向に動いて、さらにその反転板２８が左右に動いたことによりリンクフォーク２５が左右に動き、そのリンクフォーク２５の左右に動きに応じて図１４に示した発光部２０内のリンク部材２３が左右に動き、さらにリンク部材２２０、リンクピン２２が前後に動くことによって２枚の反射側板１１２ａ、１１２ｂの傾きがそれぞれ調整される様になる。
【０１１７】
この例では、発光部２０側から順にリンク部材２２０、リンクピン２２、リンク部材２３、リンクフォーク２５、反転板２８、連結部材２９が、レンズ鏡胴からの動力を本発明にいう本発明にいう動力伝達部材にあたる。また、捩りばね２６ＳＰが発光部２０をポップ方向に付勢する付勢部材にあたり、係止部材２４がその発光部２０を収納位置に係止する係止部材にあたる。
【０１１８】
この様にこの撮影装置のその発光部を除く本体部に収納された収納位置とその本体部から突出したポップアップ位置との間で移動自在である発光部を備えた撮影装置においても本発明は適用される。
【０１１９】
また、上記した様に図１４、図１５に示す構成であると、発光部２０が収納位置にあっても、また発光部２０がポップアップ位置にあっても、さらに発光部２０がこれら収納位置とポップアップ位置との間の中間位置にあってもいずれの位置にあっても上記動力伝達部材が同じ様に機能する。この様に発光部２０がどの位置にあっても動力が伝達される構造であると、万が一撮影者がポップアップされた発光部２０を手で抑えて撮影を行なう様なことがあっても発光部２０から照射野が好適に調節されたフラッシュ光が発光されるという効果が得られる。さらに上記構成であると、発光部が収納位置にあっても、また発光部がポップアップ位置にあってもどちらの位置にあっても焦点距離に応じた照射野でフラッシュ光を発光させて撮影を行なうことができる撮影装置にすることもできる。
【０１２０】
以上説明した様に、照射野の調整が精度良く行なえる発光部を備えた撮影装置が実現する。
【０１２１】
なお本実施形態では、デジタルカメラを例に挙げたが、もちろん銀塩カメラにも適用される。
【図面の簡単な説明】
【０１２２】
【図１】本発明の撮影装置の一実施形態であるデジタルカメラの外観を示す図である。
【図２】発光部が収納される収納ケース１０の外観を示す図である。
【図３】図２に示す収納ケース１０内の発光部の構成を説明するための分解図である。
【図４】発光管とリフレクタと反射側板の位置関係と、プロテクタの両端側に形成されているフレネルレンズの位置を説明する図である。
【図５】図４（ａ）、図４（ｂ）に示す状態を下方から見た図である。
【図６】第１の実施形態の変形例を説明する図である。
【図７】２枚の反射側板をプロテクタに対し平行となる方向に調整し切ったときに生じる間隙によるロスの増大を阻止する構成の一例を示す図である。
【図８】２枚の反射側板をプロテクタに対し平行となる方向に調整し切ったときに生じる間隙によるロスの増大を阻止する構成の別例を示す図である。
【図９】図８の構成の更なる変形例を示す図である。
【図１０】図９の構成にしたときの作用を説明する図である。
【図１１】第２の実施形態である撮影装置の外観を示す図である。
【図１２（ａ）】発光部１０をポップアップさせたときの外観を、前方斜め上方から見た図である。
【図１２（ｂ）】発光部１０をポップアップさせたときの外観を、後方斜め上方から見た図である。
【図１２（ｃ）】発光部を収納位置に係止する係止部材を説明する図である。
【図１２（ｄ）】発光部を収納位置に係止する係止部材とポップアップボタンの係わりを説明する図である。
【図１３】レンズ鏡胴内部に在るカム筒２００ａと発光部２０との係わりを説明する図である。
【図１４】発光部２０がポップアップしたときに本体部からの動力を受け取る、発光部側の動力伝達部材の構成を説明する図である。
【図１５】発光部２０をポップアップ自在に本体部に組み込むために必要なポップアップ用の部材と、発光部２０がポップアップされたときにもレンズ鏡胴からの動力を発光部に伝達する、本体側の動力伝達部材の構成を説明する図である。
【符号の説明】
【０１２３】
１  ２    デジタルカメラ
１００  ２００    レンズ鏡胴
１０１    ファインダ
１０２    発光窓
１０３    レリーズボタン
１０４    表示パネル
１０５    ズームスイッチ
１０    収納ケース（発光部）
１０２１    プロテクタ
１０２１ａ  １０２１ｂ  １０２１ａ´  １０２１ｂ´  フレネルレンズ
１０２２    基台
１０２２ａ〜１０２２ｃ    貫通孔
１０２２ｄ  １０２２ｅ    ガイド溝
１０２３    蓋部
１１    フォルダ
１１０    発光管
１１１    リフレクタ
１１２ａ  １１２ｂ    反射側板
１１２１ａ    １１２１ｂ    係合部材              
１１３    可動リンク部材
１３ａ  １３ｂ    リンク部材
１４ａ  １４ｂ  １５ａ  １５ｂ    反射板
２０    収納ケース（発光部）
２１  ポップアップボタン
２３    リンク部材
２４    係止部材
２５    リンクフォーク
２６    ポップアップリンク
２７    ベース部材
２８    反転板
２９    連結部材
【図１】
2007293227.tif 000003
【図２】
2007293227.tif 000004
【図３】
2007293227.tif 000005
【図４】
2007293227.tif 000006
【図５】
2007293227.tif 000007
【図６】
2007293227.tif 000008
【図７】
2007293227.tif 000009
【図８】
2007293227.tif 000010
【図９】
2007293227.tif 000011
【図１０】
2007293227.tif 000012
【図１１】
2007293227.tif 000013
【図１２（ａ）】
2007293227.tif 000014
【図１２（ｂ）】
2007293227.tif 000015
【図１２（ｃ）】
2007293227.tif 000016
【図１２（ｄ）】
2007293227.tif 000017
【図１３】
2007293227.tif 000018
【図１４】
2007293227.tif 000019
【図１５】
2007293227.tif 000020